(57)【特許請求の範囲】
【請求項１】
被牽引によりまたは自走して走行する機体に装架せる堆肥積込用の荷箱の、後方に開放する後端側に、破砕ビーターを装架し、それの下方には、上面側に散布羽根を具備する回転ベースを、左右に一対に並列するユニットｕに組合わせ、そのユニットｕをそれの一対に並列する回転ベースの回転軸を結ぶ仮想線ｗが平面視において後方に向いハの字状乃至凸レンズ状をなすように複数連左右に並列せしめることにより散布装置に形成して、装設することを特徴とする堆肥散布機。
【請求項２】
回転ベースが左右に一対に並列するよう組合わせたユニットｕを左右に複数連並列させてなる散布装置の左右の巾を、荷箱の左右の巾よりも広くし、かつ、その散布装置の並列する回転ベースの前方部位を囲う周壁の左右の両サイド部を、左右の両端に位置する回転ベースの回転軸を通る左右の中心線に略対応する部位を終端として、この周壁の両サイド部が側方および後方に開放するようにしたことを特徴とする請求項１記載の堆肥散布機。
【請求項３】
荷箱の後端側に設けた破砕ビーターの下面側に、その下方の散布装置の並列する回転ベースの上面側の前半側を遮閉するマニアパンを設けて、破砕ビーターにより破砕した堆肥類を案内板により散布装置の並列する回転ベースの上面の後半側に寄るゾーンに落下させるようにしたことを特徴とする請求項１記載の堆肥散布機。
【請求項４】
回転ベースが左右に一対に並列するよう組合わせたユニットを、左右に２連に並設し、左方のユニットの外側に位置する回転ベースの回転軸と右方のユニットの内側に位置する回転ベースの回転軸とを伝導チェンで連繋し、左方のユニットの内側に位置する回転ベースの回転軸と右方のユニットの外側に位置する回転ベースの回転軸とを伝導チェンで連繋し、それら二本の伝導チェンの一方を、駆動歯輪の周縁の一半側に噛合わせ、他方の伝導チェンを駆動歯輪の周縁の他半側に噛み合わせて、その駆動歯輪の駆動により、左右のユニットの各回転ベースを駆動することを特徴とする請求項１記載の堆肥散布機。
【発明の詳細な説明】
【０００１】
【発明の属する技術分野】
この発明は、堆肥散布機に関する。いっそう具体的にいえば、トラクタの後方に連結牽引されて走行する台車状の機体、または自走して走行する自走式の台車状の機体に、床部材と前壁部材と左右の側壁部材とからなる後方が開放した堆肥積載用の荷箱を装架し、それの床部材に、その荷箱内に積み込んだ堆肥類を後方に搬送する搬送装置を装備し、荷箱の後方に開放する後端部に、そこに前記搬送装置により送られてくる堆肥を荷箱の後方に散布する散布装置を設けて構成される形態の堆肥散布機についての改良に関する。
【０００２】
【従来の技術】
上述の形態の堆肥散布機の従前のものは、トラクタの後方に連結して牽引させる被牽引式の堆肥散布機について具体的にいえば、図１および図２にあるように、トラクタ（図示省略）の機体の後面に装設左てある連結ヒッチに対して連結する牽引桿１０が前端側（図１・図２において左端側）に設けてある台車状の機体１の上面側に、床部材２０と前壁部材２１と左右の側壁部材２２・２２とからなり上面側および後方が開放した平箱状の荷箱２を装架し、それの床部材２０には、荷箱２内に投入される堆肥類を前方から後方に向けて搬送する床コンベアよりなる搬送装置３を組込み装設し、荷箱２の後端側には、後面視において略四角な囲い枠状をなして前後に抜ける機枠４を、荷箱２の後端に連続するよう配設して機体１の後端部に組付け支架し、その機枠４内の上部側に、荷箱２の後端側に搬送されてくる堆肥類を破砕する破砕ビーター５を装設し、機枠４内の底部には、前述の搬送装置３の搬送方向の終端部より後方の下方に配位して竪方向の回転軸６０により回転する円板状の回転ベース６１・６１を左右に一対に並列させて軸支し、これら回転ベース６１・６１の各上面に散布羽根６２…をそれぞれ取付けてなる散布装置６を装設して、搬送装置３により荷箱２の後端側に送られてくる堆肥類を破砕ビーター５により破砕して下方に落し、それを散布装置６で後方に散布するようにした構成のものである。
【０００３】
図３および図４は、別の従前手段を示す。この手段は、図１・図２に示す上述の堆肥散布機Ａが、それの荷箱２の後端側に設ける破砕ビーター５を、散布装置６の回転ベース６１・６１の回転軸６０・６０の上半側を利用する竪軸の回転軸５ａで作動するようにしているのに対し、破砕ビーター５を左右方向の回転軸５０により作動するようにして、その破砕ビーター５を、図３にあるように、搬送装置３の終端側の上方に位置するよう配して機枠４の内腔に横架軸支し、それの後方に、堆肥類を案内する案内板４０を、案内する堆肥が機枠４の底部に設けられる散布装置６の回転ベース６１の上面の前半側に落下していくように設けて、破砕ビーター５により破砕されて後方に振り出される堆肥類が、図４に示している如く、左右に並列する回転ベース６１・６１の上面の回転軸６０・６０よりも前方に位置するゾーンｚに落下していくようにした手段である。
【０００４】
【発明が解決しようとする課題】
上述の従前の堆肥散布機Ａは、荷箱２内に投入されて搬送装置３により後方に送られ、破砕ビーター５により破砕されて落下する堆肥類を受け止めて荷箱２の後方に散布する散布装置６が、荷箱２の前後方向に対して直交する左右方向に並列する一対の回転ベース６１・６１を、それらの対向側が前方から後方に回動するように駆動して、それらの上面に落下してきて散布羽根６２…により振り出される堆肥類が、一対に並列する回転ベース６１・６１の対向部位において合流するようになって、その対向部位から後方に放出・散布するようにしていることから、散布巾が狭く、また、散布精度が低く、その散布精度を上げることがむづかしい問題がある。
【０００５】
また、散布巾を広げるために、図３・図４にある手段のように、破砕ビーター５から供給される堆肥類が、並列する回転ベース６１・６１の上面に対し、それらの回転軸６０・６０より前方のゾーンｚに落下していくようにして、受け止めた堆肥類を振り出すまでの距離を長くすることで、振り出す堆肥類に与える遠心力のエネルギーを大きくして、飛距離を大きくしようとすると、堆肥を振り出すよう回転ベース６１を回転させるための所要動力が大きくなる別の問題がでてくる。
【０００６】
本発明は、従来手段に生じているこれらの問題を解消せしめるためになされたものであって、荷箱の後端側に装設する散布装置による堆肥の散布巾を、広い範囲に拡げ得るようにするとともに、その散布巾の拡巾が少ない所要動力をもってなし得るようにする新たな手段を提供することを目的とする。
【０００７】
【課題を解決するための手段】
そして、本発明においては、上述の目的を達成するための手段として、被牽引によりまたは自走して走行する機体に装架せる堆肥積込用の荷箱の、後方に開放する後端側に、破砕ビーターを装架し、それの下方には、上面側に散布羽根を具備する回転ベースを、左右に一対に並列するユニットｕに組合わせ、そのユニットｕをそれの一対に並列する回転ベースの回転軸を結ぶ仮想線ｗが平面視において後方に向いハの字状乃至凸レンズ状をなすように複数連左右に並列せしめることにより散布装置に形成して、装設することを特徴とする堆肥散布機を提起し、また、回転ベースが左右に一対に並列するよう組合わせたユニットｕを左右に複数連並列させてなる散布装置の左右の巾を、荷箱の左右の巾よりも広くし、かつ、その散布装置の並列する回転ベースの前方部位を囲う周壁の左右の両サイド部を、左右の両端に位置する回転ベースの回転軸を通る左右の中心線に略対応する部位を終端として、この周壁の両サイド部が側方および後方に開放するようにしたことを特徴とする請求項１記載の堆肥散布機ヲ提起し、ならびに、荷箱の後端側に設けた破砕ビーターの下面側に、その下方の散布装置の並列する回転ベースの上面側の前半側を遮閉するマニアパンを設けて、破砕ビーターにより破砕した堆肥類を案内板により散布装置の並列する回転ベースの上面の後半側に寄るゾーンに落下させるようにしたことを特徴とする請求項１記載の堆肥散布機を提起し、さらに、回転ベースが左右に一対に並列するよう組合わせたユニットを、左右に２連に並設し、左方のユニットの外側に位置する回転ベースの回転軸と右方のユニットの内側に位置する回転ベースの回転軸とを伝導チェンで連繋し、左方のユニットの内側に位置する回転ベースの回転軸と右方のユニットの外側に位置する回転ベースの回転軸とを伝導チェンで連繋し、それら二本の伝導チェンの一方を、駆動歯輪の周縁の一半側に噛合わせ、他方の伝導チェンを駆動歯輪の周縁の他半側に噛み合わせて、その駆動歯輪の駆動により、左右のユニットの各回転ベースを駆動することを特徴とする請求項１記載の堆肥散布機を提起するものである。
【０００８】
【発明の実施の形態】
本発明手段による堆肥散布機は、自走して走行する機体または牽引車に連結牽引させることで走行する機体に、上面側と後面側が開放する平箱状の荷箱を装架し、それの床部材には、その荷箱内に投入される堆肥類を後方に搬送する搬送装置を組込み、後方に開放する荷箱の後端側には、前記搬送装置により後送される堆肥類を破砕する破砕ビーターを配設し、その破砕ビーターの下方に、それにより破砕されて落下する堆肥類を後方に振り出して散布する散布装置を、上面に放射状に散布羽根を設けて竪軸で回転する回転ベースを左右に並列させることで構成して装設することについては、従来手段のものと変わりなく構成してよい。
【０００９】
しかし、散布装置にあっては、竪軸で回転する回転ベースを左右に並列組合わせて散布装置に構成する際に、二つの回転ベースを左右に並列させて一組みのユニットに組合わせ、その組合わせた一対の回転ベースのユニットが、複数左右に並列するようにする。
【００１０】
そして、この二つの回転ベースを一対に並列させて組合わせたユニットを、左右に複数並列させる際、それら回転ベースのユニットの、一対に並列する回転ベースの回転軸を結ぶ仮想線が、平面視において機体の進行方向に対しそれぞれ所定の角度で傾斜するように並列配置する。
【００１１】
このとき、回転ベースを一対に並列組合わせたユニットを、二連に並列配置して散布装置を構成する場合にあっては、機体の後端部の右方および左方に配置するそれぞれのユニットの各回転ベースの回転軸間を結ぶ仮想線が、それぞれ平面視において機体の進行方向に対し左右方向の外側に向け傾斜して逆ハの字状をなすようにし、三連以上に多連にユニットを並列配置するときにあっては、それらユニットの前述の仮想線が、平面視において凸レンズ状をなすように並列配置し、これにより、並列する各ユニットの、一対の回転ベースが、対向部位において前方から後方に向け回転するよう駆動されることで、その対向部位から後方に振り出されるようになる各ユニットからの堆肥類の放出方向が、それぞれ、左右方向の外側に向けて偏向するようになって、散布装置の全体としての散布範囲が左右に拡巾するようにする。
【００１２】
このとき、散布装置は、並列するユニットの、左右の外側に位置する回転ベースが、後方視において、荷箱の左右の両側から外側に突出して、散布装置の全体の左右の巾を拡張するようにしてよい。
【００１３】
また、このように、回転ベースを一対に並列組合わせたユニットを複数並列配置して構成する散布装置に対して、荷箱内の堆肥類を破砕して供給するための破砕ビーターは、荷箱の床部材に組み合わせる搬送装置の終端部に対し、なるべく後方に偏位させて、散布装置の上方に位置するように配設し、かつ、それの下面側には、散布装置の前半側の上面との間を仕切るマニアパンを棚設して、破砕ビーターにより破砕されて落下する堆肥類が、散布装置の並列する回転ベースの上面の後半側のゾーンに落下していくようにし、これにより、回転ベースがそれの上面に受け止めた堆肥類を散布羽根により振り出すまでの距離を短くして回転ベースを駆動回転させる所要動力が低減されるようにする。
【００１４】
【実施例】
次に実施例を図面に従い詳述する。なお、図面符号は、従前手段のものと同効の構成部材については同一の符号を用いるものとする。
【００１５】
図５乃至図１０は、本発明を実施せる堆肥散布機Ａの被牽引型とした例を示し、図５は同上の平面図、図６は同上の縦断側面図である。
【００１６】
図において、１は、被牽引により自在に走行する機体で、前端側（図において左端側）にはトラクタ（図示省略）等の牽引車の機体の後部に設けられる連結ヒッチと連結する牽引桿１０が設けられ、下面側には、後端側に走行輪１１が遊嵌軸支され前端側には折畳み自在のスタンド１２が設けてある。
【００１７】
２は前記機体１の上面側に装架した荷箱で、床部材２０と前壁部材２１と左右の側壁部材２２・２２とにより上面側と後面側が開放する平箱状に形成してある。
【００１８】
３は、前記荷箱２内の床面に装設した搬送装置で、荷箱２の床部材２０の前端側に軸支したロール３０と床部材２０の後端部の後方に軸支したロール３１とに、コンベアベルト３２を、前記床部材２０を間に抱き込むようにエンドレスに巻き掛け、後端側のロール３１の軸を、機体１の前端部に設けた入力軸ａと伝導する伝導機構を収蔵せる伝導機筐ｂに設けた出力軸と、間欠送り機構（図示省略）を介し伝導することで、前記入力軸ａに牽引車のＰＴＯ軸を介して伝導される牽引車側の回転動力によって、床部材２０の上面側に沿う搬送行程側が、前方から後方に間欠的に動くように作動する。
【００１９】
５は破砕ビーターで、荷箱２の後端側を後方に延長するように機体１の後端側に設けた機枠４に横架軸支してあり、それの回転軸５０を図１３に示している如く前述の伝導機筐ｂ内の伝導機構と伝導する伝導機構ｃを介し伝導して駆動することで、図６において、矢印に示している如く、時計回わりに回動し、搬送装置３により荷箱２内を後送されてくる堆肥類を破砕しながら上方に掻き上げて下方に払い落とすよう作用する。そして、この破砕ビーター５は、図６にあるように、回転軸５０が搬送装置３の後端部よりも後方の上方に位置するように、後方に偏位させて機枠４に軸支してあり、それの後面側は機枠４に設けた案内板４０により囲われている。
【００２０】
６は、前記破砕ビーター５で破砕されて落下してくる堆肥類を機体１の後方に散布するよう機体１の後端側の底部に設けた散布装置、６１…はその散布装置６の回転ベース、６０…はそれら回転ベース６１の回転軸、６２…はそれら回転ベース６１の上面に設けた散布羽根である。
【００２１】
散布装置６は、上面側に中心部位から放射方向に向う散布羽根６２…を放射状に配列して設け、中心部位に設けた竪方向の回転軸６０により回転する回転ベース６１を、左右に一対に並列軸支して、それらの対向側が、前方から後方に回動するように駆動することで、それら一対に並列する回転ベース６１・６１の上面に落下して振り出されるようになる堆肥類が、回転ベース６１・６１の対向部位において合流するようになって、その対向部位から後方に散布されていくようにすることについては従前手段のものと変わりがない。
【００２２】
しかし、左右に並列させる回転ベース６１・６１は、左右に一対に並列させる二つの回転ベース６１・６１により、一組みの回転ベースのユニットｕを構成するようにし、このユニットｕがさらに左右に複数並列するようにしている。
【００２３】
図示する実施例は、このユニットｕを左右に２連に配設した例である。そして、それぞれのユニットｕ・ｕは、図８にあるように、一対に並列する回転ベース６１・６１のそれぞれの回転軸６０・６０を結ぶ仮想線ｗ・ｗが、平面視において、機体１の前後方向と直交する左右方向に対し傾斜角度αをもってそれぞれ外側に向け傾斜して、ハの字状をなすように配設してあり、これにより、各ユニットｕの回転ベース６１…から振り出される堆肥類の飛び出し方向が、同図８において矢印に示すように外側に傾斜するようになって、全体の散布巾を左右に拡げるようにしてある。
【００２４】
また、左右に２連に並列させた各ユニットｕ・ｕのそれぞれの一対の回転ベース６１・６１のうちの外側に位置する回転ベース６１の外端側が、前後方向視において、荷箱２の左右の側壁部材２２・２２よりも、それぞれ外側に突出するようにして、散布装置６の全体の左右の巾を拡げてある。
【００２５】
図８において、７は、並列する回転ベース６１…の各回転軸６０を軸支するとともに、それら回転軸６０…に回転動力を伝導する伝導機構Ｍを収蔵する伝導部ケースで、左右に長い台箱状に形成してある。
【００２６】
また、７０は並列する回転ベース６１…の周囲の前面側を囲う周壁で、各回転ベース６１の外縁の回転軌跡に沿う円弧状が波状に連続する形状に形成して、前記伝動部ケース７の上面に固定装着してあって、各回転ベース６１の前面側を囲うようにしてある。
【００２７】
図６および図７において、８は破砕ビーター５と散布装置６との間に、散布装置６の並列する回転ベース６１の上面の前半側を、破砕ビーター５から遮閉するように配設したマニアパンで、図５にて鎖線に示している形状に形成して、機枠４に固定支架してある。
【００２８】
図１１は、前述の伝動部ケース７内に設ける伝導機構Ｍの平面図である。同図１１において、Ｇ１・Ｇ２・Ｇ３・Ｇ４は、図１２にあるように台箱状の伝動部ケース７の上面に左右に並列して軸支される回転ベース６１…の各回転軸６０…の、伝動部ケース７内に突入する下端部に軸支せるスプロケットギヤ、９０・９１はこれらスプロケットにかけまわした伝導チェン、ＤＧはこれら伝導チェン９０・９１の駆動歯輪を示す。
【００２９】
駆動歯輪ＤＧは、図１２・図１３に示しているように、伝導機筐ｂ内の伝導機構を経て伝導される伝導機構を収蔵して伝動部ケース７の上面の中央部位に装架せるギヤボックスＢから垂下する駆動軸Ｓに、図１０に示しているように、上スプロケット９２と下スプロケット９３との２つに分けられて、上下に２段に並列支架してある。
【００３０】
そして、それの上スプロケット９２には、それの前縁側（図における上縁側）に、左側のユニットｕの外側の回転ベース６１の回転軸６０に設けたスプロケットＧ１と、右側のユニットｕの内側の回転ベース６１の回転軸６０に設けれたスプロケットＧ４と、にかけまわした伝導チェン９０の内周側を噛み合わせ、下スプロケット９３には、それの後縁側に、左側のユニットｕの内側の回転べース６１の回転軸６０に設けたたスプロケットＧ２と、右側のユニットｕの外側の回転ベース６１の回転軸６０に設けたスプロケットＧ３とにかけまわした伝導チェン９１の外周側を噛み合わせてある。
【００３１】
そして、これにより、駆動歯輪ＤＧが図１１においてと時計回わりりに回転するよう駆動されることで、左側のユニットｕの外側の回転ベースと右側のユニットｕの内側の回転ベース６１とが時計回わりに回動し、左側のユニットｕの内側の回転ベース６１と右側のユニットｕの外側の回転ベース６１とが逆回わりに反時計方向に回動するようにしてある。
【００３２】
【発明の効果】
以上説明したように、本発明による堆肥散布機は、被牽引により走行する機体または自走して走行する機体に装架する荷箱の後端側の後方下方に、上面側に散布羽根を具備する回転ベースを並列軸架して形成する散布装置を装設するに際し、それの回転ベースを、左右に並列する二つの回転ベースが対向回転するユニットに組合わせ、そのユニットを、それの一対に並列する回転ベースの回転軸を結ぶ仮想線ｗが、平面視において、ハの字乃至凸レンズをなすように左右に複数連並列させて散布装置を構成するようにしているのだから、並列する回転ベースから後方に振り出される堆肥類の飛散方向が末広がりになって、散布範囲を広げられるようになる。
【００３３】
そして、荷箱の後端側に設けた破砕ビーターからこの散布装置の並列する回転ベースの上面に破砕した堆肥類を落下させる際に、破砕ビーターの下面側に、並列する回転ベースの上面の前半側を遮閉するマニアパンを設けて、破砕した堆肥類が並列する回転ベースの後半側のゾーンに落下するようにしていることで、堆肥類を振り出す回転ベースを駆動する所要能力を増大させることなく散布範囲を拡巾できるようになる。
【図面の簡単な説明】
【図１】従前の堆肥散布機の平面図である。
【図２】同上堆肥散布機の縦断側面図である。
【図３】従前のの堆肥散布機の散布装置部分の縦断側面図である。
【図４】同上部分の横断平面図である。
【図５】本発明を実施せる堆肥散布機の平面図である。
【図６】同上堆肥散布機の縦断側面図である。
【図７】同上堆肥散布機の散布装置部分の縦断側面図である。
【図８】同上堆肥散布機の散布装置の平面図である。
【図９】同上堆肥散布機の散布装置の駆動機構部の平面図である。
【図１０】同上堆肥散布機の散布装置の駆動機構部の一部破断した側面図である。
【図１１】同上堆肥散布機の散布装置の駆動機構部の平面図である。
【図１２】同上堆肥散布機の散布装置の平面図である。
【図１３】同上堆肥散布機の散布装置部部分の伝導機構の平面図である。
【符号の説明】
Ａ…堆肥散布機、Ｂ…ギヤボックス、ＤＧ…駆動歯輪、Ｍ…伝導機構、Ｓ…駆動軸、ａ…入力軸、ｂ…伝導機筐、ｃ…伝導機構、ｕ…ユニット、ｗ…仮想線、ｚ…ゾーン、α…傾斜角度、Ｇ１・Ｇ２・Ｇ３・Ｇ４…スプロケット、１…機体、１０…牽引桿、１１…走行輪、１２…スタンド、２…荷箱、２０…床部材、２１…前壁部材、２２…後壁部材、３…搬送装置、３０・３１…ロール、３２…コンベアベルト、４…機枠、４０…案内板、５…破砕ビーター、５ａ…竪軸の回転軸、５０…左右方向の回転軸、６…散布装置、６０…回転軸、６１…回転ベース、６２…散布羽根、７…伝動部ケース、７０…周壁、８…マニアパン、９０・９１…伝導チェン、９２…上スプロケット、９３…下スブロケット。
【図１】
0003869129.tif 000002
【図２】
0003869129.tif 000003
【図３】
0003869129.tif 000004
【図４】
0003869129.tif 000005
【図５】
0003869129.tif 000006
【図６】
0003869129.tif 000007
【図７】
0003869129.tif 000008
【図８】
0003869129.tif 000009
【図９】
0003869129.tif 000010
【図１０】
0003869129.tif 000011
【図１１】
0003869129.tif 000012
【図１２】
0003869129.tif 000013
【図１３】
0003869129.tif 000014